(57)【要約】      （修正有）【課題】カバーの表面に設置される触感増加の構造を利用しユーザーが制御装置を使用する際の触感を増加させ、同時にカバー本体の可撓性の制御装置に応用されるカバー及び前記制御装置を提供する。【解決手段】ユーザーに電子装置のカーソル動作を制御させる制御装置であって、それに設置される収納スペースからなる台座１と、前記台座１に覆設されると共に前記台座１上で前記台座１を軸とする回転及びスライドを行い、外側面には触感増加の構造が設けられる可撓性カバー３と、前記可撓性カバー３の前記台座１を軸とする回転かスライドの内の少なくとも１つを検知させ、前記電子装置のカーソル動作を制御させる制御信号を発生させる検知モジュール２２を備えることを特徴とする。【選択図】図１
0003180517.tif 000002
【実用新案登録請求の範囲】
【請求項１】
ユーザーに電子装置のカーソル動作を制御させる制御装置であって、
それに設置される収納スペースからなる台座と、
前記台座に覆設されると共に前記台座上で回転及びスライドを行い、外側面には触感増加の構造が設けられる可撓性カバーと、
前記可撓性カバーの回転かスライドの内の少なくとも１つを検知させ、前記電子装置のカーソル動作を制御させる制御信号を発生させる検知モジュールを備える事を特徴とする制御装置。
【請求項２】
前記触感増加の構造は凸部構造或いは凹部構造によるユニット構造を含み、前記ユニット構造は前記検知モジュールによって検知される機能を有せず、前記ユニット構造の幾何学形状は、点状、ブロック状及び前記可撓性カバーの長軸方向に平行ではないバー状が組成させるグループの内の少なくとも１つから選ばれる事を特徴とする、請求項１に記載の制御装置。
【請求項３】
前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は規則的、或いは不規則に前記外側面に分布される事を特徴とする、請求項１に記載の制御装置。
【請求項４】
前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は連続的、或いは不連続で前記外側面に分布される事を特徴とする、請求項１に記載の制御装置。
【請求項５】
前記可撓性カバーは単一支持層か複合支持層によって形成される、或いは前記複合支持層強化層を更に備える事を特徴とする、請求項１に記載の制御装置。
【請求項６】
前記検知モジュールは前記収納スペースに設置され、或いは前記制御装置はマイクロプロセッサーを更に備え、前記マイクロプロセッサー及び前記検知モジュールは前記収納スペースに設置される事を特徴とする、請求項１に記載の制御装置事を特徴とする、請求項１に記載の制御装置。
【請求項７】
前記台座は前記ユーザーに近接し制御される前記第一面と前記第一面に連接されると共に前記収納スペースに対向させる第二面を更に備え、
前記第一面及び前記第二面の両者の内の少なくとも１つが透明体を備える場合、前記検知モジュールの検知面は前記透明体及び前記可撓性カバーの前記外側面に対応させる内側面に対向させ、
或いは、
前記第二面が刳り抜き領域を備える場合、前記検知モジュールの検知面は前記刳り抜き領域及び前記可撓性カバーの前記外側面に対応させる内側面に対向させ、
或いは、
前記検知モジュールは検知面を有し、前記可撓性カバーは前記外側面に対応させる内側面を有し、前記第一面或いは前記第二面は前記検知面と前記内側面との間に介在せず、前記検知面は前記内側面に隣接させる事を特徴とする、請求項１に記載の制御装置。
【請求項８】
前記制御装置は前記台座に納置されるケース、位置決め軸、磁性部材からなる移動座、押し部材、及び検知ユニットを更に備え、また前記位置決め軸、前記移動座、前記押し部材、及び前記検知ユニットは共に前記ケース中に納置され、
前記台座は前記押し部材上に固定され、
前記押し部材は前記位置決め軸の一端に回転可能で固定され
前記位置決め軸の前記端は前記移動座に貫設させた後前記押し部材に当接させ、前記可撓性カバーが前記移動座に対して外力を受けた場合、前記移動座と前記押し部材との距離を変化させ、前記磁性部材の磁界変化を前記検知ユニットに受信させる事を特徴とする、請求項１に記載の制御装置。
【請求項９】
前記制御装置は前記ケース中に設置され且つ前記押し部材のタッチ部の下方に位置される制御スイッチを更に備え、前記台座に下向きの外力が加えられると、前記タッチ部を連動させて前記制御スイッチを圧迫させ信号を発生させる事を特徴とする、請求項８に記載の制御装置。
【請求項１０】
前記制御装置は台座、前記台座上に設置されて回転とスライドを行うカバー、及び前記カバーの回転とスライドを検知させる検知モジュールを備えるユーザー電子装置のカーソル動作を制御させる制御装置であって、
前記カバーの外側面には複数の前記カバーの長軸方向に平行ではないユニット構造が並べられて構成される触感増加の構造を設ける事を特徴とする制御装置。
【請求項１１】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれる事を特徴とする、請求項１０に記載の制御装置。
【請求項１２】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布される事を特徴とする、請求項１０に記載の制御装置。
【請求項１３】
何れか１つの前記ユニット構造は凸部構造或いは凹部構造であり、及びこれら前記凸部構造かこれら前記凹部構造は前記検知モジュールによって検知される機能を有せず、これら前記凸部構造かこれら前記凹部構造は連続的、或いは不連続で前記外側面上に分布される事を特徴とする、請求項１０に記載の制御装置。
【請求項１４】
前記カバーは前記台座上で回転かスライドの内の少なくとも１つを行うか、或いは前記カバーは前記台座の少なくとも一部分の回転かスライドの内の少なくとも１つを行う事を特徴とする、請求項１０に記載の制御装置。
【請求項１５】
前記カバーは単一支持層か複合支持層によって形成される、或いは前記複合支持層は強化層を更に備える事を特徴とする、請求項１０に記載の制御装置。
【請求項１６】
前記触感増加の構造は前記単一支持層か前記複合支持層の少なくとも一部分によって形成されるか、或いは摩擦係数が前記強化層と等しい摩擦構造によって形成される事を特徴とする、請求項１５に記載の制御装置。
【請求項１７】
前記台座は前記ユーザーに近接し制御される第一面と前記第一面に連接される第二面と前記第二面に対向させる収納スペースを備え、前記検知モジュールは前記収納スペースに設置される事を特徴とする、請求項１０に記載の制御装置。
【請求項１８】
前記第一面及び前記第二面の両者の内の少なくとも１つが透明体を備える場合、前記検知モジュールの検知面は前記透明体及び前記カバーの前記外側面に対応させる内側面に対向させ、
或いは、
前記第二面が刳り抜き領域を備える場合、前記検知モジュールの検知面は前記刳り抜き領域及び前記カバーの前記外側面に対応させる内側面に対向させ、
或いは、
前記検知モジュールは検知面を有し、前記カバーは前記外側面に対応させる内側面を有し、前記第一面或いは前記第二面は前記検知面と前記内側面との間に介在せず、前記検知面と前記内側面とを隣接させる事を特徴とする、請求項１７に記載の制御装置。
【請求項１９】
前記制御装置は前記台座を納置させるケース、位置決め軸、磁性部材からなる移動座、押し部材、及び検知ユニットを更に備え、前記位置決め軸、前記移動座、前記押し部材及び前記検知ユニットは共に前記ケースに納置され、
前記台座は前記押し部材に固定され、
前記押し部材は前記位置決め軸の一端に回転可能で固定され、
前記位置決め軸の前記端は前記移動座に貫設させた後に前記押し部材に当接させ、前記カバーが前記移動座に対して外力を受けた場合、前記移動座と前記押し部材との距離を変化させ、前記磁性部材の磁界変化を前記検知ユニットに受信させる事を特徴とする、請求項１０に記載の制御装置。
【請求項２０】
前記制御装置は前記ケースに設置されると共に前記押し部材のタッチ部の下方に位置される制御スイッチを更に備え、前記台座に下向きの外力が加えられると、前記タッチ部を連動させて前記制御スイッチを圧迫させ信号を発生させる事を特徴とする、請求項１９に記載の制御装置。
【請求項２１】
制御装置に設置されると共にユーザーに接触させて使用させ、電子装置のカーソル動作を制御させるカバーであって、
前記制御装置は台座、前記台座に設置されるカバー、及び前記カバーの回転かスライドの内の少なくとも１つを検知させる検知モジュールを備え、前記カバーの外側面には複数の前記カバーの長軸方向に平行ではないユニット構造が並べられて構成される触感増加の構造を設ける事を特徴とするカバー。
【請求項２２】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれる事を特徴とする、請求項２１に記載のカバー。
【請求項２３】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布される事を特徴とする、請求項２１に記載のカバー。
【請求項２４】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は連続的、或いは不連続で前記外側面上に分布される事を特徴とする、請求項２１に記載のカバー。
【請求項２５】
前記カバーは前記台座上て回転かスライドの内の少なくとも１つ、或いは前記カバーは前記台座の少なくとも一部分が回転かスライドの内の少なくとも１つを行う事を特徴とする、請求項２２に記載のカバー。
【考案の詳細な説明】
【技術分野】
【０００１】
本考案は、制御装置に応用されるカバーに関し、より詳しくは、ディスプレイ上のカーソルの制御に応用されるカバーに関する。
【背景技術】
【０００２】
科学の進歩と電子産業の目覚ましい発展に伴い、各種の電子装置、例えば昨今汎く使用されるパソコン、ノートパソコン、携帯電話やデジタルカメラ等は文明生活には不可欠な要素となっている。大部分のユーザーは毎日パソコンに触れ、マウス、キーボード等の周辺機器を利用しパソコンを操作し、プルダウンメニューを引いたり、ドラッグや選択等の動作、或いはキーボードにより文字入力の動作を行っている。
【０００３】
現在多くの周辺機器がマウスにとって代わり、或いはキーボードとマウスを結合させてパソコンを操作させている。特許文献１には複数の柱体による制御装置が記載されており、柱体の表面には解析度を表示させるパターンを有し、柱体が移動或いは回転する場合、検知器は表面の解析度を検知させて信号を制御ディスプレイ上のカーソルへ伝送させる。また、特許文献２には単柱体の制御装置が記載されており、柱体表面に解析度を表示させるパターンを有する。更に特許文献３にはポインティングデバイスに用いられる摩擦材料及び中間に可撓性領域を有するリング装置が記載されており、リング装置の表面には縦方向軸に平行な強化リング装置が設置され、リング装置の支持層の外部表面に位置されると共に明確な厚さの変化を有する。
【先行技術文献】
【特許文献】
【０００４】
【特許文献１】米国特許第６、３００、９３８号公報
【特許文献２】米国特許第６、３３７、６８０号公報
【特許文献３】中国特許第１８１３２３５号公報
【考案の概要】
【考案が解決しようとする課題】
【０００５】
しかしながら、前述した従来の技術では、解析度を表示させるパターンの製作は硬質材質に限られ、解析度は精確さが要求され、製造工程が煩雑になった。これ以外にも、可撓性材質で強化リング装置を製作させると、明確な厚さの変化がユーザーが長時間リング装置を制御させる上での使い心地に影響を与えた。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、カバーの表面に設置される触感増加の構造を利用しユーザーが制御装置を使用する際の触感を増加させ、同時にカバー本体の可撓性の制御装置に応用されるカバー及び前記制御装置を提供することを第１の目的とする。
【０００８】
また、本考案の他の目的は、凸部構造或いは凹部構造をカバーの表面に設計させ、ユーザーが制御装置を使用させる際の使用感及び触感を増加させる制御装置のカバー及び前記制御装置を提供することにある。
【０００９】
また、本考案の制御装置のカバー及び前記制御装置は、カバー表面に位置される凸部構造或いは凹部構造には解析度の機能がなく、このため各種異なるパターンを製作できるため、触感の増加及び使用感の快適さが増す。
【課題を解決するための手段】
【００１０】
上述した課題を解決し、目的を達成するために、本考案に係る制御装置は、ユーザーに電子装置のカーソル動作を制御させる制御装置であって、
それに設置される収納スペースからなる台座と、
前記台座に覆設されると共に前記台座上で回転及びスライドを行い、外側面には触感増加の構造が設けられる可撓性カバーと、
前記可撓性カバーの回転かスライドの内の少なくとも１つを検知させ、前記電子装置のカーソル動作を制御させる制御信号を発生させる検知モジュールを備えることを特徴とする。
【００１１】
好ましい実施形態では、前記触感増加の構造は凸部構造或いは凹部構造によるユニット構造を含み、前記ユニット構造は前記検知モジュールによって検知される機能を有せず、前記ユニット構造の幾何学形状は、点状、ブロック状及び前記可撓性カバーの長軸方向に平行ではないバー状が組成させるグループの内の少なくとも１つから選ばれることを特徴とする。
【００１２】
好ましい実施形態では、前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は規則的、或いは不規則に前記外側面に分布されることを特徴とする。
【００１３】
好ましい実施形態では、前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は連続的、或いは不連続で前記外側面に分布されることを特徴とする。
【００１４】
好ましい実施形態では、前記可撓性カバーは単一支持層か複合支持層によって形成される、或いは前記複合支持層強化層を更に備えることを特徴とする。
【００１５】
好ましい実施形態では、前記検知モジュールは前記収納スペースに設置され、或いは前記制御装置はマイクロプロセッサーを更に備え、前記マイクロプロセッサー及び前記検知モジュールは前記収納スペースに設置されることを特徴とする。
【００１６】
好ましい実施形態では、前記台座は前記ユーザーに近接し制御される前記第一面と前記第一面に連接されると共に前記収納スペースに対向させる第二面を更に備え、
前記第一面及び前記第二面の両者の内の少なくとも１つが透明体を備える場合、前記検知モジュールの検知面は前記透明体及び前記可撓性カバーの前記外側面に対応させる内側面に対向させ、
或いは、
前記第二面が刳り抜き部分を備える場合、前記検知モジュールの検知面は前記刳り抜き部分及び前記可撓性カバーの前記外側面に対応させる内側面に対向させ、
或いは、
前記検知モジュールは検知面を有し、前記可撓性カバーは前記外側面に対応させる内側面を有し、前記第一面或いは前記第二面は前記検知面と前記内側面との間に介在せず、前記検知面は前記内側面に隣接させることを特徴とする。
【００１７】
好ましい実施形態では、前記制御装置は前記台座に納置されるケース、位置決め軸、磁性部材からなる移動座、押し部材、及び検知ユニットを更に備え、また前記位置決め軸、前記移動座、前記押し部材、及び前記検知ユニットは共に前記ケース中に納置され、
前記台座は前記押し部材上に固定され、
前記押し部材は前記位置決め軸の一端に回転可能で固定され
前記位置決め軸の前記端は前記移動座に貫設させた後前記押し部材に当接させ、前記可撓性カバーが前記移動座に対して外力を受けた場合、前記移動座と前記押し部材との距離を変化させ、前記磁性部材の磁界変化を前記検知ユニットに受信させることを特徴とする。
【００１８】
好ましい実施形態では、前記制御装置は前記ケース中に設置され且つ前記押し部材のタッチ部の下方に位置される制御スイッチを更に備え、前記台座に下向きの外力が加えられると、前記タッチ部を連動させて前記制御スイッチを圧迫させ信号を発生させることを特徴とする。
【００１９】
上述した課題を解決するために、本考案に係る制御装置は、台座、前記台座上に設置されて回転とスライドを行うカバー、及び前記カバーの回転とスライドを検知させる検知モジュールを備えるユーザー電子装置のカーソル動作を制御させる制御装置であって、
前記カバーの外側面には複数の前記カバーの長軸方向に平行ではないユニット構造が並べられて構成される触感増加の構造を設けることを特徴とする。
【００２０】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれることを特徴とする。
【００２１】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布されることを特徴とする。
【００２２】
好ましい実施形態では、何れか１つの前記ユニット構造は凸部構造或いは凹部構造であり、及びこれら前記凸部構造かこれら前記凹部構造は前記検知モジュールによって検知される機能を有せず、これら前記凸部構造かこれら前記凹部構造は連続的、或いは不連続で前記外側面上に分布されることを特徴とする。
【００２３】
好ましい実施形態では、前記カバーは前記台座上で回転かスライドの内の少なくとも１つを行うか、或いは前記カバーは前記台座の少なくとも一部分の回転かスライドの内の少なくとも１つを行うことを特徴とする。
【００２４】
好ましい実施形態では、前記カバーは単一支持層か複合支持層によって形成される、或いは前記複合支持層は強化層を更に備えることを特徴とする。
【００２５】
好ましい実施形態では、前記触感増加の構造は前記単一支持層か前記複合支持層の少なくとも一部分によって形成されるか、或いは摩擦係数が前記強化層と等しい摩擦構造によって形成されることを特徴とする。
【００２６】
好ましい実施形態では、前記台座は前記ユーザーに近接し制御される第一面と前記第一面に連接される第二面と前記第二面に対向させる収納スペースを備え、前記検知モジュールは前記収納スペースに設置されることを特徴とする。
【００２７】
好ましい実施形態では、前記第一面及び前記第二面の両者の内の少なくとも１つが透明体を備える場合、前記検知モジュールの検知面は前記透明体及び前記カバーの前記外側面に対応させる内側面に対向させ、
或いは、
前記第二面が刳り抜き部分を備える場合、前記検知モジュールの検知面は前記刳り抜き部分及び前記カバーの前記外側面に対応させる内側面に対向させ、
或いは、
前記検知モジュールは検知面を有し、前記カバーは前記外側面に対応させる内側面を有し、前記第一面或いは前記第二面は前記検知面と前記内側面との間に介在せず、前記検知面と前記内側面とを隣接させることを特徴とする。
【００２８】
好ましい実施形態では、前記制御装置は前記台座を納置させるケース、位置決め軸、磁性部材からなる移動座、押し部材、及び検知ユニットを更に備え、前記位置決め軸、前記移動座、前記押し部材及び前記検知ユニットは共に前記ケースに納置され、
前記台座は前記押し部材に固定され、
前記押し部材は前記位置決め軸の一端に回転可能で固定され、
前記位置決め軸の前記端は前記移動座に貫設させた後に前記押し部材に当接させ、前記カバーが前記移動座に対して外力を受けた場合、前記移動座と前記押し部材との距離を変化させ、前記磁性部材の磁界変化を前記検知ユニットに受信させることを特徴とする。
【００２９】
好ましい実施形態では、前記制御装置は前記ケースに設置されると共に前記押し部材のタッチ部の下方に位置される制御スイッチを更に備え、前記台座に下向きの外力が加えられると、前記タッチ部を連動させて前記制御スイッチを圧迫させ信号を発生させることを特徴とする。
【００３０】
上述したカバー課題を解決するために、本考案に係るカバーは、制御装置に設置されると共にユーザーに接触させて使用させ、電子装置のカーソル動作を制御させるカバーであって、
前記制御装置は台座、前記台座に設置されるカバー、及び前記カバーの回転かスライドの内の少なくとも１つを検知させる検知モジュールを備え、前記カバーの外側面には複数の前記カバーの長軸方向に平行ではないユニット構造が並べられて構成される触感増加の構造を設けることを特徴とする。
【００３１】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれることを特徴とする。
【００３２】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布されることを特徴とする。
【００３３】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は連続的、或いは不連続で前記外側面上に分布されることを特徴とする。
【００３４】
好ましい実施形態では、前記カバーは前記台座上て回転かスライドの内の少なくとも１つ、或いは前記カバーは前記台座の少なくとも一部分が回転かスライドの内の少なくとも１つを行うことを特徴とする。
【図面の簡単な説明】
【００３５】
【図１】本考案に係る一実施形態の制御装置の傾斜分解概略図である。
【図２】一実施形態のカバーの正面概略図である。
【図３】一実施形態カバーの側面概略図である。
【図４】二実施形態カバーの正面概略図である。
【図５】二実施形態カバーの側面概略図である。
【図６】三実施形態のカバーの正面概略図である。
【図７】四実施形態のカバーの正面概略図である。
【図８】五実施形態のカバーの正面概略図である。
【図９】六実施形態のカバーの正面概略図である。
【図１０】七実施形態のカバーの正面概略図である。
【図１１】八実施形態のカバーの正面概略図である。
【図１２】九実施形態のカバーの正面概略図である。
【図１３】本考案に係る一実施形態のベース４１の正面概略図である。
【図１４】本考案に係る一実施形態の制御モジュールの部分分解概略図である。
【図１５】本考案に係る二実施形態の制御モジュールの部分傾斜概略図である。
【図１６】本考案に係る三実施形態の台座の傾斜側視概略図である。
【図１７】本考案に係る四実施形態の制御装置の傾斜概略図である。
【図１８】本考案に係る五実施形態の制御装置の傾斜概略図である。
【考案を実施するための形態】
【００３６】
以下、本考案の実施形態を図面に基づいて説明する。なお、本考案は、以下に説明する実施形態に限定されるものではない。以下で台座と称されるものは、カバーをガイドさせる機能か支持させる機能の内の少なくとも１つの機能を持つ部材であり、台座本体は各種の実施態様を有する。本考案の制御装置の部材の台座は、本体は単一の構造或いは複数の構造により組成され、制御装置のケースに対し、台座の少なくとも一部分は下向きの外力により上下方向の移動を行うか、或いは上下方向の移動を行わない。この種の態様では、台座の少なくとも一部分は長さがカバーの長軸方向よりも長い支持面を提供し、カバーは支持面の少なくとも一部分により支持され、またカバーは支持面の少なくとも一部分によりガイドされて台座の少なくとも一部分を台座に対向させて回転かスライド、或いはその両者を行う。台座本体は複数の構造により組成される態様を選択させる場合、台座の一部分の構造は下向きの外力により上下方向の移動を行うか、或いは上下方向の移動を行わず、台座の他の部分構造は回転かスライドの内の少なくとも１つを行う。この種の態様では、カバーは台座に付設されて、台座の回転或いはスライドに従い回転かスライドの内の少なくとも１つを行う。
【００３７】
本考案の以下でカバーと称するものは、各種態様のものが主にゴム類で製作される。限定するわけではないが例を挙げると、本考案では以下は可撓性カバー或いはカバーと称される。可撓性カバーは台座に覆設され、台座の一部分を支持面とし、但し台座の幾何学形状に大方適合され、故に可撓性カバーは台座に対応して回転或いはスライドを行う。他の態様では、カバーは台座に覆設され、台座の幾何学形状に緊密に適合され、台座が回転かスライドの内の少なくとも１つを行わない場合、カバーは台座に対向させての回転かスライド、若しくはその両者を行い、台座の部分的な構造が回転かスライドの内の少なくとも１つを行う場合、カバーは台座に付設されると共に台座に合わせて同じように回転かスライド、若しくはその両者を行う。
【００３８】
本考案の以下で触感増加の構造と称するものは、ユーザーが制御装置を操作させる際、皮膚に程度の異なる刺激を認識させるものであり、但しこの程度の異なる刺激はユーザーが長時間使用させても不快に感じさせない。次に、触感増加の構造を形成させる材料は、カバー或いは可撓性カバーと同じでも異なっていてもよい。触感増加の構造を形成させる材料がカバー或いは可撓性カバーと同じ場合、構造の形状設計を利用して触感増加の構造を形成させるが、但し本考案はこれに限定させない。
図１は本考案に係る一実施形態の制御装置の傾斜分解概略図である。制御装置６は台座１、回路モジュール２、回路モジュール５、可撓性カバー３、及びケース４を備える。一実施形態で、ケース４はベース４１と上蓋４２とが形成させるスペース４０を備える。スペース４０は制御装置６の大部分の部材、例えば台座１、回路モジュール２、回路モジュール５、可撓性カバー３、及び複数の制御部材２４を納置させる。
【００３９】
孔部４２１及び刳り抜き溝４２２は上蓋４２に設置され、下方の制御部材２４、制御部材５４及び台座１に覆設される可撓性カバー３にそれぞれ露出され。次に、クッション１３及び装飾板１４は上蓋４２に設置され、クッション１３は軟性或いは弾性材料で製作され、ユーザーの手を当てる為に用いられ、装飾板１４の孔部４２１に対応させる場所にも孔部を設置させて下方の制御部材２４に露出させる。
【００４０】
続いて、台座１はユーザーに近接し制御される第一面１１１、第一面１１１に連接される第二面１１２、及び第二面１１２に対向させる収納スペース１１３を更に備える。中空孔を有する可撓性カバー３は台座１の第一面１１１に貫設され、可撓性カバー３の長軸方向の長さは台座１の長さより短く、このため可撓性カバー３は台座１の第一面１１１上をスライドさせ、スペース４０を第一面１１１に対向させて回転させる。また、回路モジュール２は収納スペース１１３に設置され、回路基板２３、少なくとも１つの検知モジュール２２、及び回路基板２３に設置されるマイクロプロセッサー２１を備え、ここでは検知面２２１からなる検知モジュール２２は可撓性カバー３の回転かスライドの内の少なくとも１つを検知させ、電子装置及びカーソル動作を制御させる制御信号を発生させる。
【００４１】
図２及び図３はそれぞれ一実施形態カバーの正面概略図及び側面概略図である。一実施形態で、可撓性カバー３の外側面３２には触感増加の構造が設けられ、触感増加の構造は凸部構造作によるユニット構造３２１である。前記ユニット構造３２１は検知モジュール２２によって検知される機能を有せず、ユーザーの制御時の触感を増加させ、これによりユニット構造３２１の可撓性カバー３の外側面３２に突出させる高さは単一支持層３５が形成させる可撓性カバー３の厚さと同等或いは低く、外側面３２に突出させずユーザーの制御時に不快感を与えない。次に、本実施形態の、可撓性カバー３は複数のバー状のユニット構造３２１を備え外側面３２に等分の分布方式で分布されるか外側面３２に並べられ、ここではユニット構造３２１の幾何学形状はバー状且つこれらバー状のユニット構造３２１は可撓性カバー３の長軸方向Ｘに平行にならず、即ちユニット構造３２１は可撓性カバー３の長軸方向に沿い角度をつけ傾斜されて外側面３２に設置される。
本考案は凸部構造によるユニット構造に制限されない。図４及び図５はそれぞれ二実施形態カバーの正面概略図及び側面概略図である。二実施形態の、カバー１０３(或いは可撓性カバー)は触感増加の構造を有し、これは凹部構造によるユニット構造３２２であり、カバー１０３は強化層３３からなる複合支持層により形成され、強化層３３による内側面３１を提供し内側面３１を最適化させ、カバー１０３が発生させる回転信号或いはスライド信号は充分に敏感且つ正確に検知モジュールの検知と受信に反映され、ユニット構造３２２はカバー１０３の外側面３２に形成される。ここから分かるのは、複合支持層により形成されるカバー１０３は強化層３３による外側面３２を提供し凹部構造のユニット構造３２２は強化層３３に形成される。或いは単一支持層により形成されるカバー１０３も凹部構造によるユニット構造３２２を製作させ、凹部構造がカバー１０３の制御と検知される機能に大きな影響を与えないのみでよい。
【００４２】
上述の触感増加の構造によれば、凸部構造か凹部構造に問わず、カバーを単一支持層により形成させても、カバーの少なくとも一部分を複合支持層により形成させても、摩擦係数が強化層に等しい摩擦構造により形成させて頻繁に接触される触感増加の構造を強化させてもよい。強化層は触感増加の構造及び外側面の表面に応用さてよく、触感増加の構造の触感増加機能に影響を及ぼさなければよい。ここから分かるのは、もし増加された触感が摩擦力を利用したものであるならば、触感増加の構造の摩擦係数はカバーの外側面表面の摩擦構造より高くなる点である。
【００４３】
図６及び図７はそれぞれ三実施形態及び四実施形態のカバーの正面概略図であり、図２の二実施形態の直線バー状以外、本考案のカバー１０５及びカバー１０７はバー状の曲線によるユニット構造３２３をそれぞれ有するか、或いはギザギザ、螺旋のバー状によるユニット構造３２４を有する。ここから分かるのは、本考案のバー状の幾何学形状は、ユニット構造本体は一辺の長さが他辺よりも極めて長く、但し前記長さはカバーの長軸方向の長さよりも長くても、短くても、または同じでもよい。このため、三実施形態及び四実施形態の触感増加の構造も部分的なユニット構造３２３及びユニット構造３２４はカバー１０５及びカバー１０７の外側面３２に連続的に分布される。図８の五実施形態のカバーの正面概略図では本考案のユニット構造３２５はカバー１０９の外側面３２に不連続に分布される。
【００４４】
バー状の幾何学形状以外、本考案ではカバー１０９の触感増加の構造によるユニット構造３２５も他の幾何学形状、例えばユニット構造本体は長さが大方同じである２つの辺を有し、但し第３の辺の長さよりも極めて長く、例えば図９のような、カバー２０１のユニット構造３２６本体はブロック状、円形、楕円形、不規則多辺形、規則多邊形等でもよく、前記ユニット構造３２６の外側面３２の長さは突出或いは凹部の外側面３２の高さないしは深さよりも極めて長い。カバー２０１の外側面３２に複数のユニット構造３２６が分布され触感増加の構造を構成する場合、これらユニット構造３２６は前記検知モジュールによって検知される機能を有せず、このためこれらユニット構造３２６はカバー２０１の外側面３２に規則的に分布され、または図１０によれば、ユニット構造３２７はカバー２０３の外側面３２に不規則に分布される。
【００４５】
図１１は八実施形態のカバーの正面概略図であり、ユニット構造３２８の本体は各方向上の長さが大方同じである点状のユニット構造３２８であり、カバー２０５の外側面３２の各長さは突出或いは凹部の外側面３２の高さないしは深さと大方同じである。ここから分かるのは、複数のユニット構造３２８の分布は連続的或いは不連続で、規則的或いは不規則にカバー２０５の外側面３２に分布される点である。
【００４６】
上述の各種形状のユニット構造は組合せて運用させ、ユーザーの制御時の触感を増加させる以外、より特徴的にし、例えば図１２の九実施形態のユニット構造３２９は点状及びブロック状で組成されカバー２０７の外側面３２に分布される。当然ながら、凸部構造及び凹部構造により各種ユニット構造を組成させ本考案の触感増加の構造を実現させてもよい。
【００４７】
このほか、上述のカバーはゴム材料により形成され、台座の少なくとも一部分と大方適合されるか或いは緊密に適合される。当然カバーの内側面３１の本体も複数の凹点、凸点、浮き出しや網点を形成させ、銀粉や銀ペーストを塗布させ、図１に戻り、検知モジュール２２の検知面２２１を内側面３１に対向させて設置させると、これら前記凹点、前記凸点、前記浮き出し或いは前記網点が検知モジュール２２に明確に認識されるのみで、可撓性カバー３の回転かスライドを検知させ、同時に全体の敏感度及び解析度を高め、カーソルを精確に定位させ、制御性も好ましくなり、このため前述の効果を達成させる形式は皆本考案の範囲に入り、この種の簡易な修飾及び相等する構造の変化も同様に本考案の特許範囲に入る。
【００４８】
図１３は本考案に係る一実施形態的ベース４１の正面概略図である。図１及び図１３によると、一実施形態では、制御装置６の大部分の部材はスペース４０に納置されると共にベース４１に固設される。回路モジュール５は、複数の制御スイッチ５３及び回路基板５１に設置される制御部材５４で構成され、且つベース４１に固設される回路基板５１を備える。制御スイッチ５３の一部は上方の制御部材２４にそれぞれ対応させる。制御部材２４はキー、ホイール、トラックボール或いは他の手に押されて操作される部材であり、これはユーザーに押圧され、回された後に回路モジュール５の制御スイッチ５３を触発させてマウスカーソルを操作させる機能を有するのみで、本考案の特許範囲はこれに制限されず、他の修飾及び同等の効果を持つ構造変化を利用するものも、同様に本考案の特許範囲内に入る。
【００４９】
回路モジュール７はスペース４０に納置されると共にベース４１に固設される。回路モジュール７は回路基板７１及び回路基板７１上の一辺に設置される伝送インターフェース７２を備え、上蓋４２の側辺には伝送インターフェース７２の貫設に用いられる孔部４２３を設ける。説明が必要なのは、一実施形態の回路モジュール５及び回路モジュール７は個別に独立する回路基板にそれぞれ設置されるが、但し同一の回路基板上に整合させるよう設計させてもよい。以下に説明する他の回路モジュールも上述の回路モジュールに整合或いは個別に独立させる。個別に独立する回路基板設計は、導線(或いは伝送線)及び伝送インターフェースが適切に相互に、或いは外付けの電子装置に電気的に接続されるか、または各自独立して信号の伝送と受信を行う。
【００５０】
図１４は本考案に係る一実施形態の制御モジュールの部分分解概略図である。図１、図１３及び図１４によると、台座１はスペース４０に収納されると共に回路モジュール５の前側の位置に位置されると共に上蓋４２の刳り抜き溝４２２の位置に対応させる。台座１はバー状であり、両側端には嵌め込み溝１１４をそれぞれ設ける。位置決めモジュールは台座１と回路モジュール５との間に設置されると共に両端には各自移動座１１６及び押し部材１１７を貫設させる位置決め軸１１５を備え、位置決め軸１１５は移動座１１６の軸穴１１６１及び弾性部材１１６４を貫通させた後、押し部材１１７の軸穴１１７１に貫入される。一実施形態では、位置決め軸１１５は位置決めモジュールにより固定部材１１５１のベース４１に直接固定され、或いは位置決めモジュールの固定部材１１５１によりベース４１の他の固定部材(図示せず)に固定されるが、但し本考案は位置決め軸の固定方式を制限させず、実施形態も説明の為に過ぎない。
【００５１】
次に、移動座１１６はプッシュ部１１６２、及びプッシュ部１１６２と軸穴１１６１との間に設置されるカバー部１１６３を更に備え、磁性部材(図示せず)はカバー部１１６３に設置され、検知ユニット３４３はベース４１に固定されると共にカバー部１１６３の磁性部材に近接されて、カバー部１１６３の磁性部材を検知させる。移動座１１６はカバー部１１６３が押し部材１１７の軸穴１１７３に貫設される事で、軸穴１１７３でスライドさせる。移動座１１６は位置決め軸１１５でスライドさせ、移動座１１６のプッシュ部１１６２が位置決め軸１１５の長軸方向に沿った外力を受けると、移動座１１６は押し部材１１７に接近し、同時に磁性部材と検知ユニット３４３との間の距離を変化させ、位置決め軸１１５の弾性部材１１６４を圧迫させる。続いて、圧迫された弾性部材１１６４の弾力の位置エネルギーを利用して移動座１１６を外力を受ける前の位置まで回復させる。
【００５２】
続いて、押し部材１１７はタッチ部１１７４及び接合部１１７５を更に備え、タッチ部１１７４及び接合部１１７５は台座に対向する位置に設置される。接合部１１７５と台座１の嵌め込み溝１１４とは連結されて押し部材１１７に当接され、タッチ部１１７４の下方には制御スイッチ５５を設置させる。押し部材１１７は位置決め軸１１５に対向させて回転させ、台座１に下向きの外力が加えられると、押し部材１１７は連動されて回転され、タッチ部１１７４は所定の距離を進み制御スイッチ５５を圧迫させて触発信号を発生させ、下向きの外力が消失すると、タッチ部１１７４を制御スイッチ５５に接触させる位置まで回復させる。
【００５３】
一実施形態の、第二面１１２は湾曲されて側壁及び台座１の内側面を形成させ、また第二面１１２は収納スペース１１３に対向させる。台座１の断面は扁平状、弧形、円形、楕円形、或いは他のカバー３の回転とスライドに適合させる形状に設計させるため、第一面１１１は平面或いは弧面であり、台座１はポリオキシメチレン(Polyoxymethylene、POM)、ポリテトラフルオロエチレン(Polytetrafluoroethylene、PTFEまたはテフロン（登録商標）とも称する)、超高分子量ポリエチレン(Ultra  high  molecular  weight  polyethylene、UHMWPE)或いは他の自己潤滑性材料により製作される。台座１の材料は他の、例えば鋼鉄或いは極少量の分割線、或いは無分割線のプラスチック材料を選択させてもよく、カバー３がその上で回転或いはスライドすればよい。
また、一実施形態の、検知モジュール２２は収納スペース１１３に設置され、もし台座１の第一面１１１及び第二面１１２が不透明ならば、検知モジュール２２の検知面２２１はカバー３の内側面３１を直接検知させる。台座１の第一面１１１及び第二面１１２が検知モジュール２２の検知面２２１とカバー３の内側面３１との間に介在せず、検知モジュール２２の検知面２２１とカバー３の内側面３１とを近接させる。
【００５４】
また、連接第一面１１１の第二面１１２は一実施形態のものに限定されない。図１５は本考案に係る二実施形態の制御モジュールの部分傾斜概略図である。台座１１の断面が楕円形或いは円形である場合、第一面１２１は上に向く面であり、第二面１２２は第一面１２１に連接させて楕円形を形成させ、この際収納スペース１２３は第二面１２２に対向させ、第一面１２１及び第二面１２２により包囲される。この場合、もし検知モジュール２６を収納スペース１２３に設置させ、カバー１０５の回転かスライドの内の少なくとも１つを検知させる機能を執行したいならば、検知モジュール２６の検知面２６１をカバー１０５の内側面３１に対向させてカバー１０５の回転及びスライドを検知させる必要がある。検知モジュール２６が光学式検知器を備える場合、台座１１の第一面１２１が不透明であり、第二面１２２は刳り抜き部分１２２１を備え、検知モジュール２６の検知面２６１は台座１１の第二面１２２の刳り抜き部分１２２１及びカバー１０５の内側面３１に対向される。
【００５５】
これにより、検知信号は刳り抜き部分１２２１を通り抜けカバー１０５の内側面３１へ到達、若しくはカバー１０５の内側面３１から送信される。ここから分かるのは、台座１１の第二面１２２の刳り抜き部分１２２１は第二面１２２の何れか１つの適当な位置に位置させてもよく、検知モジュール２６がカバー１０５の回転或いはスライドを検知させるようにするのみでよい。また、第二面１２２の刳り抜き部分１２２１は透明体で代替えしてもよく、台座１１の第二面１２２は透明材料と不透明材料とにより形成させてもよく、或いは透明体を不透明体に固定させて形成させてもよく、若しくは透明体と不透明体とを組合せて構成させてもよい。
【００５６】
２種類の材料を用い台座を製作させる条件下では、両者は適切な方式で組み合わせるか成形させて、台座の一部を透明体としてもよい。図１６は本考案に係る三実施形態の台座の傾斜側視概略図である。図１６によれば、台座１５は透明体１３１及び他の構造１３２を備え、透明体１３１は他の構造１３２と組み合わされ結合されるか、或いは共に成形される。また、透明体１３１を第一面の一部及び第二面の一部とし、透明体１３１のカバーの長軸方向Ｘの長さがカバーの長さより短いのみでよい。第一面及び前記第二面の内の少なくとも１つが透明体を備える場合、検知モジュール２８の検知面２８１は透明体１３１及び可撓性カバー１０５の内側面３１に対向させる。
【００５７】
図１７は本考案に係る四実施形態の制御装置の傾斜概略図である。四実施形態では、台座は回転溝１６１を備える載置台６１及び回転棒６２を有し、回転溝１６１を備える載置台６１は下向きの外力により上下方向の移動を行い、長さは回転溝１６１の回転棒６２より短く回転溝１６１内で回転かスライドの内の少なくとも１つを行い、カバー２０９は回転棒６２に緊密に覆設されると共に回転棒６２に従い回転かスライドの内の少なくとも１つを行う。四実施形態では、回転棒６２は中実であり、検知モジュール３４は載置台６１の一辺に設置されてカバー２０９と回転棒６２の回転かスライドの内の少なくとも１つを検知させ、カバー２０９の外側面の触感増加の構造は検知モジュール３４の検知に影響を与えない。
【００５８】
図１８は本考案に係る五実施形態の制御装置の傾斜概略図である。五実施形態では、台座１７はケース８に固定され、また台座１７は下向きの外力による上下方向の移動は行わない。カバー２１１は台座１７に緊密に覆設されるが、カバー２１１は固定される台座１７に対向させて回転かスライドの内の少なくとも１つを行う。
【００５９】
以上、本考案はこのような実施形態に限定されるものではなく、考案の趣旨を逸脱しない範囲において、種々の形態で実施することができる。
【符号の説明】
【００６０】
１      台座
２      回路モジュール
３      カバー
４      ケース
５      回路モジュール
６      制御装置
７      回路モジュール
８      ケース
１１    台座
１３    クッション
１４    装飾板
１５    台座
１７    台座
２１    マイクロプロセッサー
２２    検知モジュール
２３    回路基板
２４    制御部材
２６    検知モジュール
２８    検知モジュール
３１    内側面
３２    外側面
３３    強化層
３４    検知モジュール
３５    支持層
４０    スペース
４１    ベース
４２    上蓋
５１    回路基板
５３    制御スイッチ
５４    制御部材
５５    制御スイッチ
６１    載置台
６２    回転棒
７１    回路基板
７２伝送インターフェース
１０３    カバー
１０５    カバー
１０７    カバー
１０９    カバー
１１１    第一面
１１２    第二面
１１３    収納スペース
１１４    嵌め込み溝
１１５    位置決め軸
１１６    移動座
１１７    押し部材
１２１    第一面
１２２    第二面
１３１    透明体
１３２    他の構造
１６１    回転溝
２０１    カバー
２０３    カバー
２０５    カバー
２０７    カバー
２０９    カバー
２１１    カバー
２２１    検知面
２６１    検知面
２８１    検知面
３２１    ユニット構造
３２２    ユニット構造
３２３    ユニット構造
３２４    ユニット構造
３２５    ユニット構造
３２６    ユニット構造
３２７    ユニット構造
３２８    ユニット構造
３２９    ユニット構造
３４３    検知ユニット
４２１    孔部
４２２    刳り抜き溝
４２３    孔部
１１５１  固定部材
１１６１  軸穴
１１６２  プッシュ部
１１６３  カバー部
１１６４  弾性部材
１１７１  軸穴
１１７３  軸穴
１１７４  タッチ部
１１７５  接合部
１２２１  刳り抜き部分
Ｘ      軸
【図１】
0003180517.tif 000003
【図２】
0003180517.tif 000004
【図３】
0003180517.tif 000005
【図４】
0003180517.tif 000006
【図５】
0003180517.tif 000007
【図６】
0003180517.tif 000008
【図７】
0003180517.tif 000009
【図８】
0003180517.tif 000010
【図９】
0003180517.tif 000011
【図１０】
0003180517.tif 000012
【図１１】
0003180517.tif 000013
【図１２】
0003180517.tif 000014
【図１３】
0003180517.tif 000015
【図１４】
0003180517.tif 000016
【図１５】
0003180517.tif 000017
【図１６】
0003180517.tif 000018
【図１７】
0003180517.tif 000019
【図１８】
0003180517.tif 000020
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
ユーザーに電子装置のカーソル動作を制御させる制御装置であって、
それに設置される収納スペースからなる台座と、
前記台座に覆設されると共に前記台座上で前記台座を軸とする回転及びスライドを行い、外側面には触感増加の構造が設けられる可撓性カバーと、
前記可撓性カバーの前記台座を軸とする回転かスライドの内の少なくとも１つを検知させ、前記電子装置のカーソル動作を制御させる制御信号を発生させる検知モジュールを備える事を特徴とする制御装置。
【請求項２】
前記触感増加の構造は凸部構造或いは凹部構造によるユニット構造を含み、前記ユニット構造は前記検知モジュールによって検知される機能を有せず、前記ユニット構造の幾何学形状は、点状、ブロック状及び前記可撓性カバーの長軸方向に平行ではないバー状が組成させるグループの内の少なくとも１つから選ばれる事を特徴とする、請求項１に記載の制御装置。
【請求項３】
前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は規則的、或いは不規則に前記外側面に分布される事を特徴とする、請求項１に記載の制御装置。
【請求項４】
前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は連続的、或いは不連続で前記外側面に分布される事を特徴とする、請求項１に記載の制御装置。
【請求項５】
前記可撓性カバーは単一支持層か複合支持層によって形成される、或いは前記複合支持層強化層を更に備える事を特徴とする、請求項１に記載の制御装置。
【請求項６】
前記検知モジュールは前記収納スペースに設置され、或いは前記制御装置はマイクロプロセッサーを更に備え、前記マイクロプロセッサー及び前記検知モジュールは前記収納スペースに設置される事を特徴とする、請求項１に記載の制御装置。
【請求項７】
前記台座は前記ユーザーに近接し制御される前記第一面と前記第一面に連接されると共に前記収納スペースに対向させる第二面を更に備え、
前記第一面及び前記第二面の両者の内の少なくとも１つが透明体を備える場合、前記検知モジュールの検知面は前記透明体及び前記可撓性カバーの前記外側面に対応させる内側面に対向させ、
或いは、
前記第二面が刳り抜き領域を備える場合、前記検知モジュールの検知面は前記刳り抜き領域及び前記可撓性カバーの前記外側面に対応させる内側面に対向させ、
或いは、
前記検知モジュールは検知面を有し、前記可撓性カバーは前記外側面に対応させる内側面を有し、前記第一面或いは前記第二面は前記検知面と前記内側面との間に介在せず、前記検知面は前記内側面に隣接させる事を特徴とする、請求項１に記載の制御装置。
【請求項８】
前記制御装置は前記台座に納置されるケース、位置決め軸、磁性部材からなる移動座、押し部材、及び検知ユニットを更に備え、また前記位置決め軸、前記移動座、前記押し部材、及び前記検知ユニットは共に前記ケース中に納置され、
前記台座は前記押し部材上に固定され、
前記押し部材は前記位置決め軸の一端に回転可能で固定され
前記位置決め軸の前記端は前記移動座に貫設させた後前記押し部材に当接させ、前記可撓性カバーが前記移動座に対して外力を受けた場合、前記移動座と前記押し部材との距離を変化させ、前記磁性部材の磁界変化を前記検知ユニットに受信させる事を特徴とする、請求項１に記載の制御装置。
【請求項９】
前記制御装置は前記ケース中に設置され且つ前記押し部材のタッチ部の下方に位置される制御スイッチを更に備え、前記台座に下向きの外力が加えられると、前記タッチ部を連動させて前記制御スイッチを圧迫させ信号を発生させる事を特徴とする、請求項８に記載の制御装置。
【請求項１０】
制御装置は台座、前記台座上に設置されて前記台座の少なくとも一部分を軸とする回転とスライドを行うカバー、及び前記カバーの前記台座の少なくとも一部分を軸とする回転とスライドを検知させる検知モジュールを備えるユーザー電子装置のカーソル動作を制御させる制御装置であって、
前記カバーの外側面には複数の前記カバーの長軸方向に平行ではないユニット構造が並べられて構成される触感増加の構造を設ける事を特徴とする制御装置。
【請求項１１】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれる事を特徴とする、請求項１０に記載の制御装置。
【請求項１２】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布される事を特徴とする、請求項１０に記載の制御装置。
【請求項１３】
何れか１つの前記ユニット構造は凸部構造或いは凹部構造であり、及びこれら前記凸部構造かこれら前記凹部構造は前記検知モジュールによって検知される機能を有せず、これら前記凸部構造かこれら前記凹部構造は連続的、或いは不連続で前記外側面上に分布される事を特徴とする、請求項１０に記載の制御装置。
【請求項１４】
前記カバーは前記台座上で前記台座を軸とする回転かスライドの内の少なくとも１つを行うか、或いは前記カバーは前記台座の一部分を軸とし、且つ前記台座の前記一部分の回転に従う回転かスライドの内の少なくとも１つを行う事を特徴とする、請求項１０に記載の制御装置。
【請求項１５】
前記カバーは単一支持層か複合支持層によって形成される、或いは前記複合支持層は強化層を更に備える事を特徴とする、請求項１０に記載の制御装置。
【請求項１６】
前記触感増加の構造は前記単一支持層か前記複合支持層の少なくとも一部分によって形成されるか、或いは摩擦係数が前記強化層と等しい摩擦構造によって形成される事を特徴とする、請求項１５に記載の制御装置。
【請求項１７】
前記台座は前記ユーザーに近接し制御される第一面と前記第一面に連接される第二面と前記第二面に対向させる収納スペースを備え、前記検知モジュールは前記収納スペースに設置される事を特徴とする、請求項１０に記載の制御装置。
【請求項１８】
前記第一面及び前記第二面の両者の内の少なくとも１つが透明体を備える場合、前記検知モジュールの検知面は前記透明体及び前記カバーの前記外側面に対応させる内側面に対向させ、
或いは、
前記第二面が刳り抜き領域を備える場合、前記検知モジュールの検知面は前記刳り抜き領域及び前記カバーの前記外側面に対応させる内側面に対向させ、
或いは、
前記検知モジュールは検知面を有し、前記カバーは前記外側面に対応させる内側面を有し、前記第一面或いは前記第二面は前記検知面と前記内側面との間に介在せず、前記検知面と前記内側面とを隣接させる事を特徴とする、請求項１７に記載の制御装置。
【請求項１９】
前記制御装置は前記台座を納置させるケース、位置決め軸、磁性部材からなる移動座、押し部材、及び検知ユニットを更に備え、前記位置決め軸、前記移動座、前記押し部材及び前記検知ユニットは共に前記ケースに納置され、
前記台座は前記押し部材に固定され、
前記押し部材は前記位置決め軸の一端に回転可能で固定され、
前記位置決め軸の前記端は前記移動座に貫設させた後に前記押し部材に当接させ、前記カバーが前記移動座に対して外力を受けた場合、前記移動座と前記押し部材との距離を変化させ、前記磁性部材の磁界変化を前記検知ユニットに受信させる事を特徴とする、請求項１０に記載の制御装置。
【請求項２０】
前記制御装置は前記ケースに設置されると共に前記押し部材のタッチ部の下方に位置される制御スイッチを更に備え、前記台座に下向きの外力が加えられると、前記タッチ部を連動させて前記制御スイッチを圧迫させ信号を発生させる事を特徴とする、請求項１９に記載の制御装置。
【請求項２１】
制御装置に設置されると共にユーザーに接触させて使用させ、電子装置のカーソル動作を制御させるカバーであって、
前記制御装置は台座、前記台座に設置されるカバー、及び前記カバーの前記台座の少なくとも一部分を軸とする回転かスライドの内の少なくとも１つを検知させる検知モジュールを備え、前記カバーの外側面には複数の前記カバーの長軸方向に平行ではないユニット構造が並べられて構成される触感増加の構造を設ける事を特徴とするカバー。
【請求項２２】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれる事を特徴とする、請求項２１に記載のカバー。
【請求項２３】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布される事を特徴とする、請求項２１に記載のカバー。
【請求項２４】
何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は連続的、或いは不連続で前記外側面上に分布される事を特徴とする、請求項２１に記載のカバー。
【請求項２５】
前記カバーは前記台座上で前記台座を軸とする回転かスライドの内の少なくとも１つ、或いは前記カバーは前記台座の一部分を軸とし、且つ前記台座の前記一部分の回転に従う回転かスライドの内の少なくとも１つを行う事を特徴とする、請求項２２に記載のカバー。
【手続補正２】
【補正対象書類名】明細書
【補正対象項目名】全文
【補正方法】変更
【補正の内容】
【考案の詳細な説明】
【技術分野】
【０００１】
本考案は、制御装置に応用されるカバーに関し、より詳しくは、ディスプレイ上のカーソルの制御に応用されるカバーに関する。
【背景技術】
【０００２】
科学の進歩と電子産業の目覚ましい発展に伴い、各種の電子装置、例えば昨今汎く使用されるパソコン、ノートパソコン、携帯電話やデジタルカメラ等は文明生活には不可欠な要素となっている。大部分のユーザーは毎日パソコンに触れ、マウス、キーボード等の周辺機器を利用しパソコンを操作し、プルダウンメニューを引いたり、ドラッグや選択等の動作、或いはキーボードにより文字入力の動作を行っている。
【０００３】
現在多くの周辺機器がマウスにとって代わり、或いはキーボードとマウスを結合させてパソコンを操作させている。特許文献１には複数の柱体による制御装置が記載されており、柱体の表面には解析度を表示させるパターンを有し、柱体が移動或いは回転する場合、検知器は表面の解析度を検知させて信号を制御ディスプレイ上のカーソルへ伝送させる。また、特許文献２には単柱体の制御装置が記載されており、柱体表面に解析度を表示させるパターンを有する。更に特許文献３にはポインティングデバイスに用いられる摩擦材料及び中間に可撓性領域を有するリング装置が記載されており、リング装置の表面には縦方向軸に平行な強化リング装置が設置され、リング装置の支持層の外部表面に位置されると共に明確な厚さの変化を有する。
【先行技術文献】
【特許文献】
【０００４】
【特許文献１】米国特許第６、３００、９３８号公報
【特許文献２】米国特許第６、３３７、６８０号公報
【特許文献３】中国特許第１８１３２３５号公報
【考案の概要】
【考案が解決しようとする課題】
【０００５】
しかしながら、前述した従来の技術では、解析度を表示させるパターンの製作は硬質材質に限られ、解析度は精確さが要求され、製造工程が煩雑になった。これ以外にも、可撓性材質で強化リング装置を製作させると、明確な厚さの変化がユーザーが長時間リング装置を制御させる上での使い心地に影響を与えた。
【０００６】
そこで、本考案者は上記の欠点が改善可能と考え、鋭意検討を重ねた結果、合理的設計で上記の課題を効果的に改善する本考案の提案に到った。
【０００７】
本考案は、このような従来の問題に鑑みてなされたものである。上記課題解決のため、本考案は、カバーの表面に設置される触感増加の構造を利用しユーザーが制御装置を使用する際の触感を増加させ、同時にカバー本体の可撓性の制御装置に応用されるカバー及び前記制御装置を提供することを第１の目的とする。
【０００８】
また、本考案の他の目的は、凸部構造或いは凹部構造をカバーの表面に設計させ、ユーザーが制御装置を使用させる際の使用感及び触感を増加させる制御装置のカバー及び前記制御装置を提供することにある。
【０００９】
また、本考案の制御装置のカバー及び前記制御装置は、カバー表面に位置される凸部構造或いは凹部構造には解析度の機能がなく、このため各種異なるパターンを製作できるため、触感の増加及び使用感の快適さが増す。
【課題を解決するための手段】
【００１０】
上述した課題を解決し、目的を達成するために、本考案に係る制御装置は、ユーザーに電子装置のカーソル動作を制御させる制御装置であって、
それに設置される収納スペースからなる台座と、
前記台座に覆設されると共に前記台座上で前記台座を軸とする回転及びスライドを行い、外側面には触感増加の構造が設けられる可撓性カバーと、
前記可撓性カバーの前記台座を軸とする回転かスライドの内の少なくとも１つを検知させ、前記電子装置のカーソル動作を制御させる制御信号を発生させる検知モジュールを備えることを特徴とする。
【００１１】
好ましい実施形態では、前記触感増加の構造は凸部構造或いは凹部構造によるユニット構造を含み、前記ユニット構造は前記検知モジュールによって検知される機能を有せず、前記ユニット構造の幾何学形状は、点状、ブロック状及び前記可撓性カバーの長軸方向に平行ではないバー状が組成させるグループの内の少なくとも１つから選ばれることを特徴とする。
【００１２】
好ましい実施形態では、前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は規則的、或いは不規則に前記外側面に分布されることを特徴とする。
【００１３】
好ましい実施形態では、前記触感増加の構造は凸部構造或いは凹部構造によるユニット構造を含み、前記触感増加の構造が複数の前記ユニット構造からなる場合、これら前記ユニット構造は前記検知モジュールによって検知される機能を有せず、これら前記ユニット構造は連続的、或いは不連続で前記外側面に分布されることを特徴とする。
【００１４】
好ましい実施形態では、前記可撓性カバーは単一支持層か複合支持層によって形成される、或いは前記複合支持層強化層を更に備えることを特徴とする。
【００１５】
好ましい実施形態では、前記検知モジュールは前記収納スペースに設置され、或いは前記制御装置はマイクロプロセッサーを更に備え、前記マイクロプロセッサー及び前記検知モジュールは前記収納スペースに設置されることを特徴とする。
【００１６】
好ましい実施形態では、前記台座は前記ユーザーに近接し制御される前記第一面と前記第一面に連接されると共に前記収納スペースに対向させる第二面を更に備え、
前記第一面及び前記第二面の両者の内の少なくとも１つが透明体を備える場合、前記検知モジュールの検知面は前記透明体及び前記可撓性カバーの前記外側面に対応させる内側面に対向させ、
或いは、
前記第二面が刳り抜き部分を備える場合、前記検知モジュールの検知面は前記刳り抜き部分及び前記可撓性カバーの前記外側面に対応させる内側面に対向させ、
或いは、
前記検知モジュールは検知面を有し、前記可撓性カバーは前記外側面に対応させる内側面を有し、前記第一面或いは前記第二面は前記検知面と前記内側面との間に介在せず、前記検知面は前記内側面に隣接させることを特徴とする。
【００１７】
好ましい実施形態では、前記制御装置は前記台座に納置されるケース、位置決め軸、磁性部材からなる移動座、押し部材、及び検知ユニットを更に備え、また前記位置決め軸、前記移動座、前記押し部材、及び前記検知ユニットは共に前記ケース中に納置され、
前記台座は前記押し部材上に固定され、
前記押し部材は前記位置決め軸の一端に回転可能で固定され
前記位置決め軸の前記端は前記移動座に貫設させた後前記押し部材に当接させ、前記可撓性カバーが前記移動座に対して外力を受けた場合、前記移動座と前記押し部材との距離を変化させ、前記磁性部材の磁界変化を前記検知ユニットに受信させることを特徴とする。
【００１８】
好ましい実施形態では、前記制御装置は前記ケース中に設置され且つ前記押し部材のタッチ部の下方に位置される制御スイッチを更に備え、前記台座に下向きの外力が加えられると、前記タッチ部を連動させて前記制御スイッチを圧迫させ信号を発生させることを特徴とする。
【００１９】
上述した課題を解決するために、本考案に係る制御装置は、台座、前記台座上に設置されて前記台座の少なくとも一部分を軸とする回転とスライドを行うカバー、及び前記カバーの前記台座の少なくとも一部分を軸とする回転とスライドを検知させる検知モジュールを備えるユーザー電子装置のカーソル動作を制御させる制御装置であって、
前記カバーの外側面には複数の前記カバーの長軸方向に平行ではないユニット構造が並べられて構成される触感増加の構造を設けることを特徴とする。
【００２０】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれることを特徴とする。
【００２１】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布されることを特徴とする。
【００２２】
好ましい実施形態では、何れか１つの前記ユニット構造は凸部構造或いは凹部構造であり、及びこれら前記凸部構造かこれら前記凹部構造は前記検知モジュールによって検知される機能を有せず、これら前記凸部構造かこれら前記凹部構造は連続的、或いは不連続で前記外側面上に分布されることを特徴とする。
【００２３】
好ましい実施形態では、前記カバーは前記台座上で前記台座を軸とする回転かスライドの内の少なくとも１つを行うか、或いは前記カバーは前記台座の一部分を軸とし、且つ前記台座の前記一部分の回転に従う回転かスライドの内の少なくとも１つを行うことを特徴とする。
【００２４】
好ましい実施形態では、前記カバーは単一支持層か複合支持層によって形成される、或いは前記複合支持層は強化層を更に備えることを特徴とする。
【００２５】
好ましい実施形態では、前記触感増加の構造は前記単一支持層か前記複合支持層の少なくとも一部分によって形成されるか、或いは摩擦係数が前記強化層と等しい摩擦構造によって形成されることを特徴とする。
【００２６】
好ましい実施形態では、前記台座は前記ユーザーに近接し制御される第一面と前記第一面に連接される第二面と前記第二面に対向させる収納スペースを備え、前記検知モジュールは前記収納スペースに設置されることを特徴とする。
【００２７】
好ましい実施形態では、前記第一面及び前記第二面の両者の内の少なくとも１つが透明体を備える場合、前記検知モジュールの検知面は前記透明体及び前記カバーの前記外側面に対応させる内側面に対向させ、
或いは、
前記第二面が刳り抜き部分を備える場合、前記検知モジュールの検知面は前記刳り抜き部分及び前記カバーの前記外側面に対応させる内側面に対向させ、
或いは、
前記検知モジュールは検知面を有し、前記カバーは前記外側面に対応させる内側面を有し、前記第一面或いは前記第二面は前記検知面と前記内側面との間に介在せず、前記検知面と前記内側面とを隣接させることを特徴とする。
【００２８】
好ましい実施形態では、前記制御装置は前記台座を納置させるケース、位置決め軸、磁性部材からなる移動座、押し部材、及び検知ユニットを更に備え、前記位置決め軸、前記移動座、前記押し部材及び前記検知ユニットは共に前記ケースに納置され、
前記台座は前記押し部材に固定され、
前記押し部材は前記位置決め軸の一端に回転可能で固定され、
前記位置決め軸の前記端は前記移動座に貫設させた後に前記押し部材に当接させ、前記カバーが前記移動座に対して外力を受けた場合、前記移動座と前記押し部材との距離を変化させ、前記磁性部材の磁界変化を前記検知ユニットに受信させることを特徴とする。
【００２９】
好ましい実施形態では、前記制御装置は前記ケースに設置されると共に前記押し部材のタッチ部の下方に位置される制御スイッチを更に備え、前記台座に下向きの外力が加えられると、前記タッチ部を連動させて前記制御スイッチを圧迫させ信号を発生させることを特徴とする。
【００３０】
上述したカバー課題を解決するために、本考案に係るカバーは、制御装置に設置されると共にユーザーに接触させて使用させ、電子装置のカーソル動作を制御させるカバーであって、
前記制御装置は台座、前記台座に設置されるカバー、及び前記カバーの前記台座の少なくとも一部分を軸とする回転かスライドの内の少なくとも１つを検知させる検知モジュールを備え、前記カバーの外側面には複数の前記カバーの長軸方向に平行ではないユニット構造が並べられて構成される触感増加の構造を設けることを特徴とする。
【００３１】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造の幾何学形状は、点状、ブロック状、及びバー状が組成させるグループの内の少なくとも１つから選ばれることを特徴とする。
【００３２】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は規則的、或いは不規則に前記外側面上に分布されることを特徴とする。
【００３３】
好ましい実施形態では、何れか１つの前記ユニット構造は凸部構造或いは凹部構造であり、これら前記凸部構造かこれら前記凹部構造は前記検知モジュールによって検知される機能を有せず、これら前記凸部構造かこれら前記凹部構造は連続的、或いは不連続で前記外側面上に分布されることを特徴とする。
【００３４】
好ましい実施形態では、前記カバーは前記台座上で前記台座を軸とする回転かスライドの内の少なくとも１つ、或いは前記カバーは前記台座の一部分を軸とし、且つ前記台座の前記一部分の回転に従う回転かスライドの内の少なくとも１つを行うことを特徴とする。
【図面の簡単な説明】
【００３５】
【図１】本考案に係る一実施形態の制御装置の傾斜分解概略図である。
【図２】一実施形態のカバーの正面概略図である。
【図３】一実施形態カバーの側面概略図である。
【図４】二実施形態カバーの正面概略図である。
【図５】二実施形態カバーの側面概略図である。
【図６】三実施形態のカバーの正面概略図である。
【図７】四実施形態のカバーの正面概略図である。
【図８】五実施形態のカバーの正面概略図である。
【図９】六実施形態のカバーの正面概略図である。
【図１０】七実施形態のカバーの正面概略図である。
【図１１】八実施形態のカバーの正面概略図である。
【図１２】九実施形態のカバーの正面概略図である。
【図１３】本考案に係る一実施形態のベース４１の正面概略図である。
【図１４】本考案に係る一実施形態の制御モジュールの部分分解概略図である。
【図１５】本考案に係る二実施形態の制御モジュールの部分傾斜概略図である。
【図１６】本考案に係る三実施形態の台座の傾斜側視概略図である。
【図１７】本考案に係る四実施形態の制御装置の傾斜概略図である。
【図１８】本考案に係る五実施形態の制御装置の傾斜概略図である。
【考案を実施するための形態】
【００３６】
以下、本考案の実施形態を図面に基づいて説明する。なお、本考案は、以下に説明する実施形態に限定されるものではない。以下で台座と称されるものは、カバーをガイドさせる機能か支持させる機能の内の少なくとも１つの機能を持つ部材であり、台座本体は各種の実施態様を有する。本考案の制御装置の部材の台座は、本体は単一の構造或いは複数の構造により組成され、制御装置のケースに対し、台座の少なくとも一部分は下向きの外力により上下方向の移動を行うか、或いは上下方向の移動を行わない。この種の態様では、台座の少なくとも一部分は長さがカバーの長軸方向よりも長い支持面を提供し、カバーは支持面の少なくとも一部分により支持され、またカバーは支持面の少なくとも一部分によりガイドされて台座の少なくとも一部分を台座に対向させて回転かスライド、或いはその両者を行う。台座本体は複数の構造により組成される態様を選択させる場合、台座の一部分の構造は下向きの外力により上下方向の移動を行うか、或いは上下方向の移動を行わず、台座の他の部分構造は回転かスライドの内の少なくとも１つを行う。この種の態様では、カバーは台座に付設されて、台座の回転或いはスライドに従い回転かスライドの内の少なくとも１つを行う。
【００３７】
本考案の以下でカバーと称するものは、各種態様のものが主にゴム類で製作される。限定するわけではないが例を挙げると、本考案では以下は可撓性カバー或いはカバーと称される。可撓性カバーは台座に覆設され、台座の一部分を支持面とし、但し台座の幾何学形状に大方適合され、故に可撓性カバーは台座に対応して回転或いはスライドを行う。他の態様では、カバーは台座に覆設され、台座の幾何学形状に緊密に適合され、台座が回転かスライドの内の少なくとも１つを行わない場合、カバーは台座に対向させての回転かスライド、若しくはその両者を行い、台座の部分的な構造が回転かスライドの内の少なくとも１つを行う場合、カバーは台座に付設されると共に台座に合わせて同じように回転かスライド、若しくはその両者を行う。
【００３８】
本考案の以下で触感増加の構造と称するものは、ユーザーが制御装置を操作させる際、皮膚に程度の異なる刺激を認識させるものであり、但しこの程度の異なる刺激はユーザーが長時間使用させても不快に感じさせない。次に、触感増加の構造を形成させる材料は、カバー或いは可撓性カバーと同じでも異なっていてもよい。触感増加の構造を形成させる材料がカバー或いは可撓性カバーと同じ場合、構造の形状設計を利用して触感増加の構造を形成させるが、但し本考案はこれに限定させない。
図１は本考案に係る一実施形態の制御装置の傾斜分解概略図である。制御装置６は台座１、回路モジュール２、回路モジュール５、可撓性カバー３、及びケース４を備える。一実施形態で、ケース４はベース４１と上蓋４２とが形成させるスペース４０を備える。スペース４０は制御装置６の大部分の部材、例えば台座１、回路モジュール２、回路モジュール５、可撓性カバー３、及び複数の制御部材２４を納置させる。
【００３９】
孔部４２１及び刳り抜き溝４２２は上蓋４２に設置され、下方の制御部材２４、制御部材５４及び台座１に覆設される可撓性カバー３にそれぞれ露出され。次に、クッション１３及び装飾板１４は上蓋４２に設置され、クッション１３は軟性或いは弾性材料で製作され、ユーザーの手を当てる為に用いられ、装飾板１４の孔部４２１に対応させる場所にも孔部を設置させて下方の制御部材２４に露出させる。
【００４０】
続いて、台座１はユーザーに近接し制御される第一面１１１、第一面１１１に連接される第二面１１２、及び第二面１１２に対向させる収納スペース１１３を更に備える。中空孔を有する可撓性カバー３は台座１の第一面１１１に貫設され、可撓性カバー３の長軸方向の長さは台座１の長さより短く、このため可撓性カバー３は台座１の第一面１１１上をスライドし、スペース４０において第一面１１１に対向して台座１を軸として回転する。また、回路モジュール２は収納スペース１１３に設置され、回路基板２３、少なくとも１つの検知モジュール２２、及び回路基板２３に設置されるマイクロプロセッサー２１を備え、ここでは検知面２２１からなる検知モジュール２２は可撓性カバー３の回転かスライドの内の少なくとも１つを検知させ、電子装置及びカーソル動作を制御させる制御信号を発生させる。
【００４１】
図２及び図３はそれぞれ一実施形態カバーの正面概略図及び側面概略図である。一実施形態で、可撓性カバー３の外側面３２には触感増加の構造が設けられ、触感増加の構造は凸部構造作によるユニット構造３２１である。前記ユニット構造３２１は検知モジュール２２によって検知される機能を有せず、ユーザーの制御時の触感を増加させ、これによりユニット構造３２１の可撓性カバー３の外側面３２に突出させる高さは単一支持層３５が形成させる可撓性カバー３の厚さと同等或いは低く、外側面３２に突出させずユーザーの制御時に不快感を与えない。次に、本実施形態の、可撓性カバー３は複数のバー状のユニット構造３２１を備え外側面３２に等分の分布方式で分布されるか外側面３２に並べられ、ここではユニット構造３２１の幾何学形状はバー状且つこれらバー状のユニット構造３２１は可撓性カバー３の長軸方向Ｘに平行にならず、即ちユニット構造３２１は可撓性カバー３の長軸方向に沿い角度をつけ傾斜されて外側面３２に設置される。
本考案は凸部構造によるユニット構造に制限されない。図４及び図５はそれぞれ二実施形態カバーの正面概略図及び側面概略図である。二実施形態の、カバー１０３(或いは可撓性カバー)は触感増加の構造を有し、これは凹部構造によるユニット構造３２２であり、カバー１０３は強化層３３からなる複合支持層により形成され、強化層３３による内側面３１を提供し内側面３１を最適化させ、カバー１０３が発生させる回転信号或いはスライド信号は充分に敏感且つ正確に検知モジュールの検知と受信に反映され、ユニット構造３２２はカバー１０３の外側面３２に形成される。ここから分かるのは、複合支持層により形成されるカバー１０３は強化層３３による外側面３２を提供し凹部構造のユニット構造３２２は強化層３３に形成される。或いは単一支持層により形成されるカバー１０３も凹部構造によるユニット構造３２２を製作させ、凹部構造がカバー１０３の制御と検知される機能に大きな影響を与えないのみでよい。
【００４２】
上述の触感増加の構造によれば、凸部構造か凹部構造に問わず、カバーを単一支持層により形成させても、カバーの少なくとも一部分を複合支持層により形成させても、摩擦係数が強化層に等しい摩擦構造により形成させて頻繁に接触される触感増加の構造を強化させてもよい。強化層は触感増加の構造及び外側面の表面に応用さてよく、触感増加の構造の触感増加機能に影響を及ぼさなければよい。ここから分かるのは、もし増加された触感が摩擦力を利用したものであるならば、触感増加の構造の摩擦係数はカバーの外側面表面の摩擦構造より高くなる点である。
【００４３】
図６及び図７はそれぞれ三実施形態及び四実施形態のカバーの正面概略図であり、図２の二実施形態の直線バー状以外、本考案のカバー１０５及びカバー１０７はバー状の曲線によるユニット構造３２３をそれぞれ有するか、或いはギザギザ、螺旋のバー状によるユニット構造３２４を有する。ここから分かるのは、本考案のバー状の幾何学形状は、ユニット構造本体は一辺の長さが他辺よりも極めて長く、但し前記長さはカバーの長軸方向の長さよりも長くても、短くても、または同じでもよい。このため、三実施形態及び四実施形態の触感増加の構造も部分的なユニット構造３２３及びユニット構造３２４はカバー１０５及びカバー１０７の外側面３２に連続的に分布される。図８の五実施形態のカバーの正面概略図では本考案のユニット構造３２５はカバー１０９の外側面３２に不連続に分布される。
【００４４】
バー状の幾何学形状以外、本考案ではカバー１０９の触感増加の構造によるユニット構造３２５も他の幾何学形状、例えばユニット構造本体は長さが大方同じである２つの辺を有し、但し第３の辺の長さよりも極めて長く、例えば図９のような、カバー２０１のユニット構造３２６本体はブロック状、円形、楕円形、不規則多辺形、規則多邊形等でもよく、前記ユニット構造３２６の外側面３２の長さは突出或いは凹部の外側面３２の高さないしは深さよりも極めて長い。カバー２０１の外側面３２に複数のユニット構造３２６が分布され触感増加の構造を構成する場合、これらユニット構造３２６は前記検知モジュールによって検知される機能を有せず、このためこれらユニット構造３２６はカバー２０１の外側面３２に規則的に分布され、または図１０によれば、ユニット構造３２７はカバー２０３の外側面３２に不規則に分布される。
【００４５】
図１１は八実施形態のカバーの正面概略図であり、ユニット構造３２８の本体は各方向上の長さが大方同じである点状のユニット構造３２８であり、カバー２０５の外側面３２の各長さは突出或いは凹部の外側面３２の高さないしは深さと大方同じである。ここから分かるのは、複数のユニット構造３２８の分布は連続的或いは不連続で、規則的或いは不規則にカバー２０５の外側面３２に分布される点である。
【００４６】
上述の各種形状のユニット構造は組合せて運用させ、ユーザーの制御時の触感を増加させる以外、より特徴的にし、例えば図１２の九実施形態のユニット構造３２９は点状及びブロック状で組成されカバー２０７の外側面３２に分布される。当然ながら、凸部構造及び凹部構造により各種ユニット構造を組成させ本考案の触感増加の構造を実現させてもよい。
【００４７】
このほか、上述のカバーはゴム材料により形成され、台座の少なくとも一部分と大方適合されるか或いは緊密に適合される。当然カバーの内側面３１の本体も複数の凹点、凸点、浮き出しや網点を形成させ、銀粉や銀ペーストを塗布させ、図１に戻り、検知モジュール２２の検知面２２１を内側面３１に対向させて設置させると、これら前記凹点、前記凸点、前記浮き出し或いは前記網点が検知モジュール２２に明確に認識されるのみで、可撓性カバー３の回転かスライドを検知させ、同時に全体の敏感度及び解析度を高め、カーソルを精確に定位させ、制御性も好ましくなり、このため前述の効果を達成させる形式は皆本考案の範囲に入り、この種の簡易な修飾及び相等する構造の変化も同様に本考案の特許範囲に入る。
【００４８】
図１３は本考案に係る一実施形態的ベース４１の正面概略図である。図１及び図１３によると、一実施形態では、制御装置６の大部分の部材はスペース４０に納置されると共にベース４１に固設される。回路モジュール５は、複数の制御スイッチ５３及び回路基板５１に設置される制御部材５４で構成され、且つベース４１に固設される回路基板５１を備える。制御スイッチ５３の一部は上方の制御部材２４にそれぞれ対応させる。制御部材２４はキー、ホイール、トラックボール或いは他の手に押されて操作される部材であり、これはユーザーに押圧され、回された後に回路モジュール５の制御スイッチ５３を触発させてマウスカーソルを操作させる機能を有するのみで、本考案の特許範囲はこれに制限されず、他の修飾及び同等の効果を持つ構造変化を利用するものも、同様に本考案の特許範囲内に入る。
【００４９】
回路モジュール７はスペース４０に納置されると共にベース４１に固設される。回路モジュール７は回路基板７１及び回路基板７１上の一辺に設置される伝送インターフェース７２を備え、上蓋４２の側辺には伝送インターフェース７２の貫設に用いられる孔部４２３を設ける。説明が必要なのは、一実施形態の回路モジュール５及び回路モジュール７は個別に独立する回路基板にそれぞれ設置されるが、但し同一の回路基板上に整合させるよう設計させてもよい。以下に説明する他の回路モジュールも上述の回路モジュールに整合或いは個別に独立させる。個別に独立する回路基板設計は、導線(或いは伝送線)及び伝送インターフェースが適切に相互に、或いは外付けの電子装置に電気的に接続されるか、または各自独立して信号の伝送と受信を行う。
【００５０】
図１４は本考案に係る一実施形態の制御モジュールの部分分解概略図である。図１、図１３及び図１４によると、台座１はスペース４０に収納されると共に回路モジュール５の前側の位置に位置されると共に上蓋４２の刳り抜き溝４２２の位置に対応させる。台座１はバー状であり、両側端には嵌め込み溝１１４をそれぞれ設ける。位置決めモジュールは台座１と回路モジュール５との間に設置されると共に両端には各自移動座１１６及び押し部材１１７を貫設させる位置決め軸１１５を備え、位置決め軸１１５は移動座１１６の軸穴１１６１及び弾性部材１１６４を貫通させた後、押し部材１１７の軸穴１１７１に貫入される。一実施形態では、位置決め軸１１５は位置決めモジュールにより固定部材１１５１のベース４１に直接固定され、或いは位置決めモジュールの固定部材１１５１によりベース４１の他の固定部材(図示せず)に固定されるが、但し本考案は位置決め軸の固定方式を制限させず、実施形態も説明の為に過ぎない。
【００５１】
次に、移動座１１６はプッシュ部１１６２、及びプッシュ部１１６２と軸穴１１６１との間に設置されるカバー部１１６３を更に備え、磁性部材(図示せず)はカバー部１１６３に設置され、検知ユニット３４３はベース４１に固定されると共にカバー部１１６３の磁性部材に近接されて、カバー部１１６３の磁性部材を検知させる。移動座１１６はカバー部１１６３が押し部材１１７の軸穴１１７３に貫設される事で、軸穴１１７３でスライドさせる。移動座１１６は位置決め軸１１５でスライドさせ、移動座１１６のプッシュ部１１６２が位置決め軸１１５の長軸方向に沿った外力を受けると、移動座１１６は押し部材１１７に接近し、同時に磁性部材と検知ユニット３４３との間の距離を変化させ、位置決め軸１１５の弾性部材１１６４を圧迫させる。続いて、圧迫された弾性部材１１６４の弾力の位置エネルギーを利用して移動座１１６を外力を受ける前の位置まで回復させる。
【００５２】
続いて、押し部材１１７はタッチ部１１７４及び接合部１１７５を更に備え、タッチ部１１７４及び接合部１１７５は台座に対向する位置に設置される。接合部１１７５と台座１の嵌め込み溝１１４とは連結されて押し部材１１７に当接され、タッチ部１１７４の下方には制御スイッチ５５を設置させる。押し部材１１７は位置決め軸１１５に対向させて回転させ、台座１に下向きの外力が加えられると、押し部材１１７は連動されて回転され、タッチ部１１７４は所定の距離を進み制御スイッチ５５を圧迫させて触発信号を発生させ、下向きの外力が消失すると、タッチ部１１７４を制御スイッチ５５に接触させる位置まで回復させる。
【００５３】
一実施形態の、第二面１１２は湾曲されて側壁及び台座１の内側面を形成させ、また第二面１１２は収納スペース１１３に対向させる。台座１の断面は扁平状、弧形、円形、楕円形、或いは他のカバー３の回転とスライドに適合させる形状に設計させるため、第一面１１１は平面或いは弧面であり、台座１はポリオキシメチレン(Polyoxymethylene、POM)、ポリテトラフルオロエチレン(Polytetrafluoroethylene、PTFEまたはテフロン（登録商標）とも称する)、超高分子量ポリエチレン(Ultra  high  molecular  weight  polyethylene、UHMWPE)或いは他の自己潤滑性材料により製作される。台座１の材料は他の、例えば鋼鉄或いは極少量の分割線、或いは無分割線のプラスチック材料を選択させてもよく、カバー３がその上で回転或いはスライドすればよい。
また、一実施形態の、検知モジュール２２は収納スペース１１３に設置され、もし台座１の第一面１１１及び第二面１１２が不透明ならば、検知モジュール２２の検知面２２１はカバー３の内側面３１を直接検知させる。台座１の第一面１１１及び第二面１１２が検知モジュール２２の検知面２２１とカバー３の内側面３１との間に介在せず、検知モジュール２２の検知面２２１とカバー３の内側面３１とを近接させる。
【００５４】
また、連接第一面１１１の第二面１１２は一実施形態のものに限定されない。図１５は本考案に係る二実施形態の制御モジュールの部分傾斜概略図である。台座１１の断面が楕円形或いは円形である場合、第一面１２１は上に向く面であり、第二面１２２は第一面１２１に連接させて楕円形を形成させ、この際収納スペース１２３は第二面１２２に対向させ、第一面１２１及び第二面１２２により包囲される。この場合、もし検知モジュール２６を収納スペース１２３に設置させ、カバー１０５の回転かスライドの内の少なくとも１つを検知させる機能を執行したいならば、検知モジュール２６の検知面２６１をカバー１０５の内側面３１に対向させてカバー１０５の回転及びスライドを検知させる必要がある。検知モジュール２６が光学式検知器を備える場合、台座１１の第一面１２１が不透明であり、第二面１２２は刳り抜き部分１２２１を備え、検知モジュール２６の検知面２６１は台座１１の第二面１２２の刳り抜き部分１２２１及びカバー１０５の内側面３１に対向される。
【００５５】
これにより、検知信号は刳り抜き部分１２２１を通り抜けカバー１０５の内側面３１へ到達、若しくはカバー１０５の内側面３１から送信される。ここから分かるのは、台座１１の第二面１２２の刳り抜き部分１２２１は第二面１２２の何れか１つの適当な位置に位置させてもよく、検知モジュール２６がカバー１０５の回転或いはスライドを検知させるようにするのみでよい。また、第二面１２２の刳り抜き部分１２２１は透明体で代替えしてもよく、台座１１の第二面１２２は透明材料と不透明材料とにより形成させてもよく、或いは透明体を不透明体に固定させて形成させてもよく、若しくは透明体と不透明体とを組合せて構成させてもよい。
【００５６】
２種類の材料を用い台座を製作させる条件下では、両者は適切な方式で組み合わせるか成形させて、台座の一部を透明体としてもよい。図１６は本考案に係る三実施形態の台座の傾斜側視概略図である。図１６によれば、台座１５は透明体１３１及び他の構造１３２を備え、透明体１３１は他の構造１３２と組み合わされ結合されるか、或いは共に成形される。また、透明体１３１を第一面の一部及び第二面の一部とし、透明体１３１のカバーの長軸方向Ｘの長さがカバーの長さより短いのみでよい。第一面及び前記第二面の内の少なくとも１つが透明体を備える場合、検知モジュール２８の検知面２８１は透明体１３１及び可撓性カバー１０５の内側面３１に対向させる。
【００５７】
図１７は本考案に係る四実施形態の制御装置の傾斜概略図である。四実施形態では、台座は回転溝１６１を備える載置台６１及び回転棒６２を有し、回転溝１６１を備える載置台６１は下向きの外力により上下方向の移動を行い、長さは回転溝１６１の回転棒６２より短く回転溝１６１内で回転かスライドの内の少なくとも１つを行い、カバー２０９は回転棒６２に緊密に覆設されると共に、回転棒６２を軸とし、且つ回転棒６２の回転に従う回転かスライドの内の少なくとも１つを行う。四実施形態では、回転棒６２は中実であり、検知モジュール３４は載置台６１の一辺に設置されてカバー２０９と回転棒６２の回転かスライドの内の少なくとも１つを検知させ、カバー２０９の外側面の触感増加の構造は検知モジュール３４の検知に影響を与えない。
【００５８】
図１８は本考案に係る五実施形態の制御装置の傾斜概略図である。五実施形態では、台座１７はケース８に固定され、また台座１７は下向きの外力による上下方向の移動は行わない。カバー２１１は台座１７に緊密に覆設されるが、カバー２１１は固定される台座１７に対向して台座１７を軸とする回転かスライドの内の少なくとも１つを行う。
【００５９】
以上、本考案はこのような実施形態に限定されるものではなく、考案の趣旨を逸脱しない範囲において、種々の形態で実施することができる。
【符号の説明】
【００６０】
１      台座
２      回路モジュール
３      カバー
４      ケース
５      回路モジュール
６      制御装置
７      回路モジュール
８      ケース
１１    台座
１３    クッション
１４    装飾板
１５    台座
１７    台座
２１    マイクロプロセッサー
２２    検知モジュール
２３    回路基板
２４    制御部材
２６    検知モジュール
２８    検知モジュール
３１    内側面
３２    外側面
３３    強化層
３４    検知モジュール
３５    支持層
４０    スペース
４１    ベース
４２    上蓋
５１    回路基板
５３    制御スイッチ
５４    制御部材
５５    制御スイッチ
６１    載置台
６２    回転棒
７１    回路基板
７２伝送インターフェース
１０３    カバー
１０５    カバー
１０７    カバー
１０９    カバー
１１１    第一面
１１２    第二面
１１３    収納スペース
１１４    嵌め込み溝
１１５    位置決め軸
１１６    移動座
１１７    押し部材
１２１    第一面
１２２    第二面
１３１    透明体
１３２    他の構造
１６１    回転溝
２０１    カバー
２０３    カバー
２０５    カバー
２０７    カバー
２０９    カバー
２１１    カバー
２２１    検知面
２６１    検知面
２８１    検知面
３２１    ユニット構造
３２２    ユニット構造
３２３    ユニット構造
３２４    ユニット構造
３２５    ユニット構造
３２６    ユニット構造
３２７    ユニット構造
３２８    ユニット構造
３２９    ユニット構造
３４３    検知ユニット
４２１    孔部
４２２    刳り抜き溝
４２３    孔部
１１５１  固定部材
１１６１  軸穴
１１６２  プッシュ部
１１６３  カバー部
１１６４  弾性部材
１１７１  軸穴
１１７３  軸穴
１１７４  タッチ部
１１７５  接合部
１２２１  刳り抜き部分
Ｘ      軸